(57)【要約】【課題】異音の低減と設置姿勢の自由度の向上を図った遠心送風機を提供する。【解決手段】上下に延びる回転軸４まわりに多数の翼６，６・・・が所定間隔をおいて設けられ回転軸４の方向から吸入した空気を径外方向へ送風する遠心ファン１と、この遠心ファンを回転駆動する駆動モータ２と、遠心ファンを収容すると共に遠心ファンにより送風される空気を遠心ファンまわりに渦巻き状に周回させて吐出する空気流路１２を有するスクロールケーシング３とを備え、スクロールケーシング内部における駆動モータの周囲の部位に上方に突出するように形成され空気流路内の空気が駆動モータ側へ流入するのを阻止する環状のリブ１４と、リブに形成されリブ内側の水を空気流路内へ排水するための切欠部１５とを設けた遠心送風機において、空気流路内を流れる空気を切欠部に当たらないように案内する延長部１４ｃをリブに一体的に形成した。【選択図】　　　図１
2004068741.tif 000002
【特許請求の範囲】
【請求項１】
上下に延びる回転軸まわりに多数の翼が所定間隔をおいて設けられ前記回転軸の方向から吸入した空気を径外方向へ送風する遠心ファンと、この遠心ファンを回転駆動する駆動モータと、前記遠心ファンを収容すると共に前記遠心ファンにより送風される空気を前記遠心ファンまわりに渦巻き状に周回させて吐出する空気流路を有するスクロールケーシングとを備え、前記スクロールケーシング内部における前記駆動モータの周囲の部位に上方に突出するように形成され前記空気流路内の空気が前記駆動モータ側へ流入するのを阻止する環状のリブと、前記リブに形成され前記リブ内側の水を前記空気流路内へ排水するための切欠部とを設けた遠心送風機において、前記空気流路内を流れる空気を前記切欠部に当たらないように案内する整流部材を設けたことを特徴とする遠心送風機。
【請求項２】
前記整流部材を前記スクロールケーシングに一体的に形成したことを特徴とする請求項１記載の遠心送風機。
【請求項３】
前記整流部材を前記空気流路と略平行に延びるように形成したことを特徴とする請求項１又は請求項２記載の遠心送風機。
【発明の詳細な説明】
【０００１】
【発明の属する技術分野】
本発明は車両用空調装置等に用いられる遠心送風機に関する。
【０００２】
【従来の技術】
図３は車両用空調装置等に用いられる遠心送風機の一例を示す模式的縦断面図、図４は図３のＢ−Ｂ線断面図である。この遠心送風機は、遠心ファン１と、この遠心ファン１を回転駆動する駆動モータ２と、遠心ファン１を収容するスクロールケーシング３とを備えている。
【０００３】
遠心ファン１は、上下に延びる回転軸４と、中心部が回転軸４に固定された平面視円形の底壁５と、回転軸４まわりに所定の角度間隔をおいて立設され下端部が底壁５の周縁部に固定された多数の翼６，６・・・と、これらの翼６，６・・・の上端部を相互に固定する保持リング７とから成っている。
【０００４】
駆動モータ２は、回転部８と固定部９とを備えており、回転部８は遠心ファン１の回転軸４に固定され、固定部９はスクロールケーシング３に固定されている。なお、遠心ファン１の底壁５は駆動モータ２の回転部８を下方から受け入れることができるように断面山形に形成されている。また、底壁５には複数個の貫通孔５ａ，５ａ・・・が形成されている。
【０００５】
スクロールケーシング３は合成樹脂等により形成されており、上面に空気取入口を形成するベルマウス１０を有し、底面に駆動モータ２の固定部９を受け入れる開口部１１を有している。開口部１１の周囲には、遠心ファン１により送風される空気を、図４に矢印に示すように、遠心ファン１まわりに渦巻き状に周回させて吐出する空気流路１２が形成されている。なお、１３は吐出口である。
【０００６】
駆動モータ２を駆動すると、遠心ファン１が回転軸４を中心として回転し、スクロールケーシング３の上方から空気が回転軸４の方向に吸入される。この空気は、翼６，６・・・の間を通って径外方向へ送風され、空気流路１２内を渦巻き状に周回して吐出口１３から吐出される。
【０００７】
このとき、空気流路１２内を流れる空気が駆動モータ２側に流入すると異音が発生するため、スクロールケーシング３内部における駆動モータ２の周囲の部位に上方に突出する環状のリブ１４を形成し、空気流路１２内の空気が駆動モータ２側へ流入するのを阻止している。
【０００８】
このリブ１４が無端状に連続した状態であると、遠心ファン１によって空気と共に吸い込まれた水がリブ１４の内側に滞留し、異臭を放ったり、駆動モータ２を腐食させたりすることがある。そこで、リブ１４に切欠部１５を設けて、リブ１４内側の水が遠心ファン１によって生じる空気流と共に空気流路２内に排出されるようにしている。
【０００９】
【発明が解決しようとする課題】
しかしながら、このような切欠部１５を設けると、空気流路１２内を通る空気流が切欠部１５に当たって異音が生じるという問題が有った。特に、遠心送風機を吐出口１３が下になるように傾斜して設置する場合、リブ１４内側の水を排水するためには切欠部１５をリブ１４における最も低い部位、すなわち吐出口１３近傍に設ける必要がある。ところが、吐出口１３近傍は送風圧力が大きいため、この部位に切欠部１５を設けると異音が大きくなる。そのため、従来は吐出口１３近傍に切欠部１５を設けることができず、吐出口１３が下になるように遠心送風機を設置することができなかった。
【００１０】
本発明は上記問題点に鑑みてなされたものであり、異音の低減と設置姿勢の自由度の向上を図った遠心送風機を提供することを目的としている。
【００１１】
【課題を解決するための手段】
上記目的を達成するために、請求項１記載の発明は、上下に延びる回転軸まわりに多数の翼が所定間隔をおいて設けられ前記回転軸の方向から吸入した空気を径外方向へ送風する遠心ファンと、この遠心ファンを回転駆動する駆動モータと、前記遠心ファンを収容すると共に前記遠心ファンにより送風される空気を前記遠心ファンまわりに渦巻き状に周回させて吐出する空気流路を有するスクロールケーシングとを備え、前記スクロールケーシング内部における前記駆動モータの周囲の部位に上方に突出するように形成され前記空気流路内の空気が前記駆動モータ側へ流入するのを阻止する環状のリブと、前記リブに形成され前記リブ内側の水を前記空気流路内へ排水するための切欠部とを設けた遠心送風機において、前記空気流路内を流れる空気を前記切欠部に当たらないように案内する整流部材を設けたことを特徴としている。
【００１２】
また、請求項２記載の発明は、請求項１記載の遠心送風機において、前記整流部材を前記スクロールケーシングに一体的に形成したことを特徴としている。
【００１３】
また、請求項３記載の発明は、請求項１又は請求項２記載の遠心送風機において、前記整流部材を前記空気流路と略平行に延びるように形成したことを特徴としている。
【００１４】
【発明の効果】
請求項１記載の発明によれば、空気流路内を流れる空気を整流部材が切欠部に当たらないように案内するため、異音が生じることがない。したがって、切欠部をリブのいかなる部位にでも設けることができ、吐出口が下になるように設置することも可能となるので、設置姿勢の自由度が向上する。
【００１５】
請求項２記載の発明によれば、整流部材をスクロールケーシングに一体的に形成したことにより、部品点数と製造コストが低減する。
【００１６】
請求項３記載の発明によれば、整流部材を空気流路と略平行に延びるように形成したことにより、送風時の抵抗が低減する。
【００１７】
【発明の実施の形態】
以下、本発明の一実施形態を図面に基づいて説明する。図１は本発明の一実施形態である遠心送風機の模式的縦断面図、図２は図１のＡ−Ａ線断面図である。
なお、本実施形態において、上記従来例と同一又は類似の部分には同一の符号を付してあり、重複する説明を省略してある。
【００１８】
この遠心送風機は車両用空調ユニットの一部を成しており、車室外の空気を取り入れる外気取入口（図示せず）及び車室内の空気を取り入れる内気取入口（図示せず）から取り入れられた空気をエバポレータ（図示せず）に導くものである。
【００１９】
本実施形態では、切欠部１５がリブ１４における吐出口１３近傍の部位に設けられている。そして、リブ１４における切欠部１５の上流側の部位１４ａに、空気流路１２と略平行に延びると共にリブ１４における切欠部１５の下流側の部位１４ｂの外側面と空隙１６を存して対向する延長部１４ｃ（整流部材）が一体的に形成されている。なお、延長部１４ｃの先端はスクロールケーシング３のノーズ部３ａから離れている。
【００２０】
このような構成によれば、リブ１４内側の水は、遠心ファン１によって生じた空気流と共に切欠部１５から空隙１６内に入り、延長部１４ｃとノーズ部３ａの間を通って空気流路１２内に流入する。
【００２１】
そして、空気流路１２内を流れる空気が延長部１４ｃにより吐出口１３の方向へ案内されて切欠部１５に当たるのが阻止されるため、異音が生じることがない。したがって、送風圧力が高い吐出口１３近傍の部位に切欠部１５が位置していても問題は無い。
【００２２】
なお、本実施形態では、延長部１４ｃを空気流路１２と略平行に延びるように形成しているため、空気流路２内を流れる空気と延長部１４ｃとの間に生じる空気抵抗が小さく、送風時に送風抵抗が増大することがない。
【００２３】
本発明によれば、切欠部をリブのいかなる部位にでも設けることができ、送風圧力が高い吐出口側が下になるように遠心送風機を設置することもできるようになるため、遠心送風機の設置姿勢の自由度が向上して設計が容易となると共に空調装置等の性能向上を図ることができる。
【００２４】
なお、本発明は上記実施形態に限定されるものではなく、本発明の要旨を逸脱しない範囲で上記実施形態に種々の変形を施すことができる。
【図面の簡単な説明】
【図１】本発明の一実施形態である遠心送風機の模式的縦断面図である。
【図２】図１のＡ−Ａ線断面図である。
【図３】従来の遠心送風機の模式的縦断面図である。
【図４】図３のＢ−Ｂ線断面図である。
【符号の説明】
１　　遠心送風機
２　　駆動モータ
３　　スクロールケーシング
４　　回転軸
６　　翼
１２　　空気流路
１３　　吐出口
１４　　リブ
１４ｃ　延長部（整流部材）
１５　　切欠部
【図１】
2004068741.tif 000003
【図２】
2004068741.tif 000004
【図３】
2004068741.tif 000005
【図４】
2004068741.tif 000006